(57)【特許請求の範囲】
【請求項１】
ワンタッチにより所定の動作を開始させるワンタッチキーと、前記ワンタッチキーが押された時の自己の動作状態を判定する判定手段と、前記ワンタッチキーによって動作する内容を登録する登録手段と、前記登録手段により登録された動作内容に関する制御プログラムに従って処理を実行する実行手段とを備え、前記登録手段は、登録動作において前記ワンタッチキーが押された時に、前記判定手段により自己の動作状態を判定させ、判定された動作状態に対応した動作内容を前記ワンタッチキーに対応させて登録し、前記実行手段は、実行動作において前記ワンタッチキーが押された時に、前記判定手段により自己の動作状態を判定させ、判定された動作状態に応じて、前記登録手段により登録された前記ワンタッチキーに対応した動作内容に関する制御プログラムの処理内容を選択して処理を実行することを特徴とする電話端末装置。
【請求項２】
前記登録手段は、登録動作において前記ワンタッチキーが押された時に、前記判定手段により自己の動作状態が音声通信中と判定された場合、前記ワンタッチキーに対応させて通信中の相手先電話番号を登録し、前記実行手段は、前記ワンタッチキーに対応して電話番号が登録されていて、かつ実行動作において前記ワンタッチキーが押された時に、前記判定手段により自己の動作状態が待機状態と判定された場合、登録されている前記電話番号への発信を行うことを特徴とする請求項１記載の電話端末装置。
【請求項３】
前記登録手段は、登録動作において前記ワンタッチキーが押された時に、前記判定手段により自己の動作状態がデータ通信中と判定された場合、前記ワンタッチキーに対応させてアクセス中のホームページのアドレスを登録し、前記実行手段は、前記ワンタッチキーに対応してホームページのアドレスが登録されていて、かつ実行動作において前記ワンタッチキーが押された時に、前記判定手段により自己の動作状態がデータ通信中と判定された場合、登録されている前記ホームページにアクセスし、前記ワンタッチキーに対応してホームページのアドレスが登録されていて、かつ実行動作において前記ワンタッチキーが押された時に、前記判定手段により自己の動作状態が待機状態と判定された場合、データ通信を開始した後、登録されている前記ホームページにアクセスすることを特徴とする請求項１記載の電話端末装置。
【請求項４】
前記登録手段は、登録動作において前記ワンタッチキーが押された時に、前記判定手段により自己の動作状態が電子メールの作成中と判定された場合、前記ワンタッチキーに対応させて直前に入力した１つ以上の文字、または直前に変換した１つ以上の文字、または直前に確定した１つ以上の文字を登録し、前記実行手段は、前記ワンタッチキーに対応して１つ以上の文字が登録されていて、かつ実行動作において前記ワンタッチキーが押された時に、前記判定手段により自己の動作状態が電子メールの作成中と判定された場合、現在のカーソル位置に登録されている前記１つ以上の文字を入力し、前記ワンタッチキーに対応して１つ以上の文字が登録されていて、かつ実行動作において前記ワンタッチキーが押された時に、前記判定手段により自己の動作状態が待機状態と判定された場合、電子メールの作成機能を起動し、電子メールの本文に登録されている前記１つ以上の文字を入力することを特徴とする請求項１記載の電話端末装置。
【発明の詳細な説明】
【０００１】
【発明の属する技術分野】
本発明は電話端末装置に関し、インターネットにアクセスし、ホームページを参照したり電子メールを送信したりする電話端末装置に関する。
【０００２】
【従来の技術】
従来の電話端末装置は、電話をかける場合、電話番号の桁数分キーを押して入力するという複数の操作が必要だった。
【０００３】
また、メモリ内に記憶している電話番号をワンタッチキーなどで読み出し、表示した後、発信操作を行なうようになっていた。
【０００４】
また、インターネットにアクセスする機能を備えた電話端末装置では、ホームページを参照する場合、データ通信を開始し、メニューの選択などで所望のホームページへアクセスしていた。
【０００５】
また、電子メールの作成時には、一般に電話端末装置はテンキーしか備えておらず、頻繁に使う文字は何度もテンキーを押して入力及び変換を行なわなければなかった。
【０００６】
また、多機能を備えた電話端末装置では、装置各部の設定も多数になり、在宅時と外出時で設定を多数変えるときは、外出時及び帰宅時にそれぞれの設定を変更していた。
【０００７】
【発明が解決しようとする課題】
このような従来の電話端末装置では、電話番号の桁数分キーを押さなければならず、操作がわずらわしかった。
【０００８】
また、ワンタッチキーといっても、その後に発信の操作を行なわなければならず、ワンタッチでの発信操作の完了はできていなかった。
【０００９】
また、インターネットにアクセスする機能を持っている場合、ホームページのアクセスに多数の手順を踏まなければならなかったり、電子メールの文字入力にテンキーを何度も押さなければならず、操作が面倒だった。
【００１０】
また、多機能を備えている場合、機能ごとの設定をそれぞれ変更するのが面倒だった。
【００１１】
本発明はこのような問題を解決するためになされたもので、目的とする動作の一連の処理をワンタッチのキー操作で完了することができる電話端末装置を提供するものである。
【００１２】
【課題を解決するための手段】
本発明の電話端末装置は、ワンタッチにより所定の動作を開始させるワンタッチキーと、前記ワンタッチキーが押された時の自己の動作状態を判定する判定手段と、前記ワンタッチキーによって動作する内容を登録する登録手段と、前記登録手段により登録された動作内容に関する制御プログラムに従って処理を実行する実行手段とを備え、前記登録手段は、登録動作において前記ワンタッチキーが押された時に、前記判定手段により自己の動作状態を判定させ、判定された動作状態に対応した動作内容を前記ワンタッチキーに対応させて登録し、前記実行手段は、実行動作において前記ワンタッチキーが押された時に、前記判定手段により自己の動作状態を判定させ、判定された動作状態に応じて、前記登録手段により登録された前記ワンタッチキーに対応した動作内容に関する制御プログラムの処理内容を選択して処理を実行する構成を有している。
【００１３】
この構成により、登録動作においてワンタッチキーが押された時の自己の動作状態に対応した動作内容がワンタッチキーに登録され、実行動作においてこのワンタッチキーが押された時の自己の動作状態に応じてワンタッチキーに登録された動作が実行されるので、ワンタッチキーには電話番号だけでなく種々の操作が登録でき、かつ実行時は、ワンタッチキーに登録された動作内容のどこから動作するのかをその動作状態に応じて適切な動作を行なうことができる。
【００１６】
また、前記登録手段は、登録動作において前記ワンタッチキーが押された時に、前記判定手段により自己の動作状態が音声通信中と判定された場合、前記ワンタッチキーに対応させて通信中の相手先電話番号を登録し、前記実行手段は、前記ワンタッチキーに対応して電話番号が登録されていて、かつ実行動作において前記ワンタッチキーが押された時に、前記判定手段により自己の動作状態が待機状態と判定された場合、登録されている前記電話番号への発信を行う構成とした。
【００１７】
この構成により、音声通信中に登録のためのワンタッチキーが押されることにより通信中の相手の電話番号が登録され、実行時にワンタッチキーが押されると、待機中なら登録されている電話番号へ発信されることとなる。
【００１８】
また、前記登録手段は、登録動作において前記ワンタッチキーが押された時に、前記判定手段により自己の動作状態がデータ通信中と判定された場合、前記ワンタッチキーに対応させてアクセス中のホームページのアドレスを登録し、前記実行手段は、前記ワンタッチキーに対応してホームページのアドレスが登録されていて、かつ実行動作において前記ワンタッチキーが押された時に、前記判定手段により自己の動作状態がデータ通信中と判定された場合、登録されている前記ホームページにアクセスし、前記ワンタッチキーに対応してホームページのアドレスが登録されていて、かつ実行動作において前記ワンタッチキーが押された時に、前記判定手段により自己の動作状態が待機状態と判定された場合、データ通信を開始した後、登録されている前記ホームページにアクセスする構成とした。
【００１９】
この構成により、データ通信中に登録のためのワンタッチキーが押されることによりアクセス中のホームページのアドレスが登録され、実行時にワンタッチキーが押されると、待機中であればデータ通信が開始されて登録されているホームページにアクセスされ、データ通信中であれば登録されているホームページにアクセスされることとなる。
【００２０】
また、前記登録手段は、登録動作において前記ワンタッチキーが押された時に、前記判定手段により自己の動作状態が電子メールの作成中と判定された場合、前記ワンタッチキーに対応させて直前に入力した１つ以上の文字、または直前に変換した１つ以上の文字、または直前に確定した１つ以上の文字を登録し、前記実行手段は、前記ワンタッチキーに対応して１つ以上の文字が登録されていて、かつ実行動作において前記ワンタッチキーが押された時に、前記判定手段により自己の動作状態が電子メールの作成中と判定された場合、現在のカーソル位置に登録されている前記文字を入力し、前記ワンタッチキーに対応して１つ以上の文字が登録されていて、かつ実行動作において前記ワンタッチキーが押された時に、前記判定手段により自己の動作状態が待機状態と判定された場合、電子メールの作成機能を起動し、電子メールの本文に登録されている前記文字を入力する構成とした。
【００２１】
この構成により、電子メール作成中に登録のためのワンタッチキーが押されることにより文字が登録され、実行時にワンタッチキーが押されると、待機中であれば電子メール作成機能が起動されて登録された文字が入力され、電子メール作成中であればカーソル位置に登録された文字が入力されることとなる。
【００２４】
【発明の実施の形態】
以下、本発明の実施の形態について、図面を参照して説明する。
図１〜図３は本発明の一実施の形態の電話端末装置を示す図である。
【００２５】
図１に示すように、本実施の形態の電話端末装置は、装置全体を制御する制御部１１と、電話回線に接続され、発信や着呼の検出などを行なう回線インターフェース（Ｉ／Ｆ）部１２と、送受信信号の変復調を行なうモデム１３と、装置に対する各種操作や電話番号などを入力するキー入力部１４と、キー入力部１４の操作により呼び出された電話番号や着信した電話番号などを表示するＬＣＤ（Liquid-Crystal Display）などの表示部１５とを備えている。
【００２６】
制御部１１は、制御プログラムに従って各種処理を実行するＣＰＵ１１１と、その制御プログラムを格納するＲＯＭ１１２と、装置各部の駆動条件や管理データ等の各種情報を記憶するとともに動作する上で必要なデータを記憶するＲＡＭ１１３ａ，１１３ｂと、エコーバックや保留メロディの再生などを行なうＤＳＰ（Digital Signal Processor）１１４と、ＤＳＰ１１４で再生する保留メロディなどを記憶しているＡＦ−ＲＯＭ（A Flash Read-Only Memory）１１５と、インターネットに接続してダウンロードした着信メロディなどを蓄積しておくＦＭ音源ＩＣ１１６と、コードレスの子機との無線通信を制御する無線インターフェース（Ｉ／Ｆ）部１１７とを備えている。
【００２７】
また回線Ｉ／Ｆ部１２は、電話回線のオンフック及びオフフックの制御やダイヤル信号の送出や着呼の検出などを行なう回線Ｉ／Ｆ回路１２１と、回線Ｉ／Ｆ回路１２１を制御して電話回線のオンフック及びオフフックの制御やダイヤル信号の送出などを行なわせるサブＣＰＵ１２２と、送受信信号をアナログ／デジタル変換するＣＯＤＥＣ（coder-decoder）１２３とを備えている。
【００２８】
この電話端末装置は、予め登録された電話番号に発信し、モデム１３を介してデータ信号を送受信することでインターネットに接続し、電子メールの送受信やホームページへのアクセスができるようになっている。
【００２９】
また、キー入力部１４のワンタッチキーに電話番号へのダイヤル発信やホームページへのアクセスや絵文字の入力などの動作内容をワンタッチ操作で登録し、登録した動作内容をワンタッチで行なわせることができるようになっている。
【００３０】
まず、登録は、図２のフローチャートに示すように、ＣＰＵ１１１は、サブＣＰＵ１２２からのワンタッチキーの長押し（一定時間以上押し続けられる状態）を検出した通知を受けると、装置の状態（動作状態）を判定し（Ｓ１１）、電子メールの作成中であれば、入力して変換や確定をしていない状態であれば入力したままの文字を、入力後変換している状態であれば変換して表示されている文字を、文字の確定をした直後であれば確定した文字をＲＡＭ１１３内のワンタッチキーの登録内容に登録しておく（Ｓ１２）。
【００３１】
装置の状態が何もしていない待機中であれば、ＲＡＭ１１３内に設定されている装置の留守番電話の設定などの設定や、登録されている電話番号やホームページアドレスや電子メールアドレスや、記憶されている着信の履歴や発信の履歴などをまとめてＲＡＭ１１３内のワンタッチキーの登録内容に登録しておく（Ｓ１３）。
【００３２】
装置の状態が回線補足中（通信中）であれば、通信の状態を判定し（Ｓ１４）、データ通信中であれば、アクセス中のホームページのアドレス（ＵＲＬ：Uniform Resource Location）をＲＡＭ１１３内のワンタッチキーの登録内容に登録しておく（Ｓ１５）。
【００３３】
通信の状態が音声通信中であれば、現在通話中の相手の電話番号をＲＡＭ１１３内のワンタッチキーの登録内容に登録しておく（Ｓ１６）。
【００３４】
ここで、ワンタッチキーで登録される電話番号、ホームページアドレス等は、それぞれワンタッチキーで登録された最新の電話番号、ホームページアドレス等を登録し、ワンタッチキーで登録された過去の電話番号、ホームページアドレス等は、それぞれワンタッチキーで登録された最新の電話番号、ホームページアドレス等で上書きされ、消去される。
【００３５】
このようにして登録したワンタッチキーの内容は、ワンタッチキーを押下するだけで、登録内容を読み出すだけでなく、装置の状態と登録内容により発信やホームページへのアクセスも自動的に行うようになっている。
【００３６】
具体的には、図３のフローチャートに示すように、ワンタッチキーが押下されたことをサブＣＰＵ１２２から通知されたＣＰＵ１１１は、押されたワンタッチキーに対応してＲＡＭ１１３内に登録されている登録内容を判別する（Ｓ２１）。
【００３７】
登録内容が文字であれば、装置の状態を判定し（Ｓ２２）、装置の状態が待機中またはメール作成中であれば、待機中のときは、ＣＰＵ１１１は、メール作成モードを起動し登録されている文字をメール本文に入力する。また、メール作成中であれば、ＣＰＵ１１１は、現在のカーソルの位置に登録されている文字を挿入する（Ｓ２３）。
【００３８】
登録内容が設定内容であれば、装置の状態を判定し（Ｓ２４）、装置の状態が待機中であれば、ＣＰＵ１１１は、登録されている各種設定を再設定する（Ｓ２５）。
【００３９】
登録内容がホームページのアドレスであれば、装置の状態を判定し（Ｓ２６）、装置の状態が待機中またはデータ通信中であれば、待機中のときは、ＣＰＵ１１１は、サブＣＰＵ１２２から回線Ｉ／Ｆ回路１２１を介して予め設定されているインターネット接続用の電話番号へ発信し、相手が着呼したらモデム１３によりデータ通信を開始し、予め設定された手順に従い登録されているホームページのアドレスにアクセスし、そのホームページを表示部１５に表示する。また、データ通信中であれば、予め設定された手順に従い登録されているホームページのアドレスにアクセスし、そのホームページを表示部１５に表示する（Ｓ２７）。
【００４０】
登録内容が電話番号であれば、装置の状態を判定し（Ｓ２８）、装置の状態が待機中であれば、ＣＰＵ１１１は、サブＣＰＵ１２２から回線Ｉ／Ｆ回路１２１を介して登録している電話番号に発信を行なう（Ｓ２９）。
【００４１】
このように本実施の形態においては、ワンタッチキーの長押しで装置の状態に応じた動作内容の情報を登録し、ワンタッチキーの１回の操作により登録されている動作内容の情報と装置の状態に応じた動作を行なうので、目的の動作の登録も実行も１回の操作により行なわせることができる。
【００４２】
また、音声通信中のワンタッチキーの長押しにより、通信中の相手先電話番号が登録され、待機状態中のワンタッチキーの１回の操作で、登録されている情報が電話番号であれば、その電話番号に発信しているので、１回の操作で登録されている電話番号への発信まで完了することができる。
【００４３】
また、データ通信中のワンタッチキーの長押しにより、アクセス中のホームページのアドレスが登録され、待機状態中のワンタッチキーの１回の操作で、登録されている情報がホームページのアドレスであれば、データ通信を開始してホームページにアクセスし、また、データ通信中のワンタッチキーの１回の操作で、登録されている情報がホームページのアドレスであれば、登録されているホームページにアクセスするので、１回の操作でホームページのアドレスを登録することができ、１回の操作で、データ通信中でなくてもデータ通信を開始して登録しているホームページにアクセスすることができる。
【００４４】
また、電子メール作成中のワンタッチキーの長押しにより、入力したままの文字や、変換した文字や、確定した文字を登録し、待機状態中のワンタッチキーの１回の操作で、登録されている情報が文字であれば、電子メール作成機能を起動して文字を入力し、また、電子メール作成中のワンタッチキーの１回の操作で、登録されている情報が文字であれば、作成中の電子メールに文字を入力しているので、１回の操作で文字を登録することができ、１回の操作で、電子メール作成中でなくても電子メール作成機能を起動して登録している文字を電子メールに入力することができる。
【００４５】
また、待機状態中のワンタッチキーの長押しにより装置各部の設定を登録し、待機状態中のワンタッチキーの１回の操作で、登録されている情報が装置各部の設定状態であれば、その設定を反映しているので、１回の操作で装置各部の設定内容を登録、反映させることができる。
【００４６】
なお、本実施の形態においては、１つのワンタッチキーに１つの動作内容の情報しか登録しないようにしたが、１つのワンタッチキーに装置の状態に応じて複数の動作内容の情報を登録し、実行時に登録されている動作内容の情報から装置の状態に応じた動作内容を選択して実行する（例えば、データ通信中であれば登録されているホームページにアクセス、電子メール作成中であれば登録されている文字を入力）ようにしても良い。
【００４７】
【発明の効果】
以上説明したように、本発明によれば、ワンタッチキーの操作だけでその時の動作状態に応じた動作内容が登録されるので、ワンタッチキーに種々の動作を登録することができ、かつ実行時にはワンタッチキーの操作により、登録されている動作内容とその時の動作状態に応じて動作を実行するため、目的とする動作の一連の処理を１回の操作で完了することができる。
【図面の簡単な説明】
【図１】本発明の一実施の形態の電話端末装置を示す概略ブロック図
【図２】本発明の一実施の形態の電話端末装置の操作内容情報の登録処理を示すフローチャート
【図３】本発明の一実施の形態の電話端末装置の操作の実行処理を示すフローチャート
【符号の説明】
１１    制御部
１１１    ＣＰＵ
１１２    ＲＯＭ
１１３，１１３ａ，１１３ｂ ＲＡＭ
１１４    ＤＳＰ
１１５    ＡＦ−ＲＯＭ
１１６    ＦＭ音源ＩＣ
１１７    無線インターフェース部
１２    回線インターフェース部
１２１    回線インターフェース回路
１２２    サブＣＰＵ
１２３    ＣＯＤＥＣ
１３    モデム
１４    キー入力部
１５    表示部
【図１】
0004365557.tif 000002
【図２】
0004365557.tif 000003
【図３】
0004365557.tif 000004